(57)【要約】【課題】本発明は部品点数を増やすことなく、速結端子とプラグイン式端子を併設した回路遮断器の端子構造を提供することを目的としている。【解決手段】端子部には、上下に電線挿入孔８と導電バー挿入孔９とを配置し、端子部内部には電線挿入孔８と導電バー挿入孔９との間にばね体１１を設け、ばね体１１の上側と下側とそれぞれに電線又は導電バーのどちらかを保持可能とし、速結端子とプラグイン式端子とを併設したことを特徴とする。【選択図】図２
2010027557.tif 000002
【特許請求の範囲】
【請求項１】
ケースの上面に設けた電路を開閉する操作ハンドル、一方の面に設けた複数の電源側端子、及び他方の面に設けた複数の負荷側端子を備えた回路遮断器の端子構造であって、端子部には、上下に電線挿入孔と導電バー挿入孔とを配置し、端子部内部には前記電線挿入孔と導電バー挿入孔との間にばね体を設け、該ばね体の上側と下側とそれぞれに電線又は導電バーのどちらかを保持可能としたことを特徴とする回路遮断器の端子構造。
【発明の詳細な説明】
【技術分野】
【０００１】
本発明は、ケースの上面に設けた電路を開閉する操作ハンドル、一方の面に設けた複数の電源側端子、及び他方の面に設けた複数の負荷側端子を備えた回路遮断器の端子構造に関するものである。
【背景技術】
【０００２】
回路遮断器の端子の方式としては、導体を端子部にねじ止めして接続するねじ式端子、電線をばね体等により鎖錠し、差し込むだけで接続する速結端子、導電バーを端子内部に配置したばね体等により挟持させるプラグイン式端子といったものがある。従来は、電源側端子と負荷側端子にどれか一つの方式の端子を採用していた。
【特許文献１】特開２００６−９２９７９号公報
【発明の開示】
【発明が解決しようとする課題】
【０００３】
例えば、電源側端子がプラグイン式端子で、負荷側端子が速結端子の回路遮断器の場合、電源側端子に接続されるのは導電バーであり、負荷側端子に接続されるのは電線でなくては、構造上できず、端子の方式に合わせて導体が決定されてしまう。回路遮断器の表面に銘板等表示がされている場合、電源側端子と負荷側端子とがそれぞれ決まっているので、分電盤に組み込んだときに、表示が逆向きになってしまうことがあった。また、導体が速結端子の端子口より太い電線である場合には、速結端子に差し込むことができないという制約があった。
【課題を解決するための手段】
【０００４】
そこで本発明は部品点数を増やすことなく、速結端子とプラグイン式端子を併設した回路遮断器の端子構造を提供することを目的とし、その構造は、端子部には、上下に電線挿入孔と導電バー挿入孔とを配置し、端子部内部には電線挿入孔と導電バー挿入孔との間にばね体を設け、ばね体の上側と下側とそれぞれに電線又は導電バーのどちらかを保持可能としたことを特徴とする。
【発明の効果】
【０００５】
本発明に係る回路遮断器の端子構造は、端子部には、上下に電線挿入孔と導電バー挿入孔とを配置し、端子部内部には電線挿入孔と導電バー挿入孔との間にばね体を設け、ばね体の上側と下側とそれぞれに電線又は導電バーのどちらかを保持可能としたため、導体の種類によって、速結端子とプラグイン式端子を使い分けることが可能となる。このとき、部品点数は元の速結端子を構成するものと変わりない。回路遮断器のどちら側も電源側端子、負荷側端子として使用可能となり、回路遮断器の設置方向に制約がなくなる。また、盤内で太い電線を導体として用いる場合、電線挿入孔に差し込むことができなくても、電線の先端に圧着端子を設けることでプラグイン式端子に差し込むことが可能となる。
【発明を実施するための最良の形態】
【０００６】
本発明に係る回路遮断器の端子構造の実施例を図１〜図５の添付図面に基いて説明する。
【０００７】
回路遮断器１はケース２の上面に操作ハンドル３を設け、この操作ハンドル３の動作により電路を開閉する。回路遮断器１のケース２の一方の面に電源側端子４、及び他方の面に負荷側端子５を設けている。電源側端子４には、商用電源と接続される導体が接続され、負荷側端子５には、負荷機器へと接続される導体が接続される。
【０００８】
導体が接続される端子の方式としては、導体をねじ止めにより接続するねじ式端子、電線を差し込み、端子内部に設けられているばね体により鎖錠させ接続する速結端子、導電バーを差し込み、端子内部に設けられているばね体により挟持させ接続するプラグイン式端子等がある。
【０００９】
本発明に係る回路遮断器１の端子構造では、電源側端子４と負荷側端子５共に、それぞれ速結端子６とプラグイン式端子７を併設した。回路遮断器１の端子部には、相毎の電線挿入孔８と、導電バー挿入孔９とを設ける。回路遮断器１の端子構造は、従来の速結端子６の構造と同様とし、端子内部には端子座１０が設けられている。端子座１０は、ばね体１１を保持し、ばね体１１とで挿入された導体を挟持する機能を持つ。ばね体１１は、導体へ付勢された固定部１１ａと、導体が抜け落ちることを防止するため端子部の導体導入部である、電線挿入孔８へ付勢された抜け止め部１１ｂと、固定部１１ａと抜け止め部１１ｂとを連接する座部１１ｃとで構成されている。
【００１０】
電線挿入孔８に電線１２を差し込むと、ばね体１１の固定部１１ａと端子座１０の上面とに電線１２をはさむことで固定され、また、ばね体１１の抜け止め部１１ｂによって一旦差し込んだ電線１２は引き抜こうとしても、抜けおちることない。また、導電バー挿入孔９に導電バーを差し込むと、ばね体１１の座部１１ｃと端子座１０の下面とに導電バーは挟持され、電気的に導通する。
【００１１】
導電バー挿入孔９に導電バー１３を差し込むと、ばね体１１は、導電バー１３に押されて上方へ移動し、端子座１０の上面にばね体１１が押し付けられることで、導電バー１３は端子座１０の下面とばね体１１とで挟持され、導電する。
【００１２】
回路遮断器の内部の電気の流れについては、商用電源から導電バー１３等の導体を電源側端子４に接続し、電源側端子４から固定接点１４、可動接点１５を経て過電流引き外し装置１６を通って負荷機器へとつながる電線１２等の導体を接続する負荷側端子５へと流れる。端子部には過電流引き外し時間を調節するため工具を差し込み可能とする調節穴１７が設けられることもある。
【００１３】
回路遮断器１の両端部に設けられた端子を、導体に合わせて電源側端子、負荷側端子のどちらにも使用することができるようになる。分電盤に回路遮断器を組み込んだとき、中央に導体を配設し、その両側に回路遮断器１を接続する際に、従来は、回路遮断器１に表示されている銘板の文字がさかさまになってしまうようなことがあったが、本発明では、どちら側の端子も接続可能であるため、表示を正位置にすることができる。
【００１４】
電線挿入孔８に挿入できない太い電線は、圧着端子を取り付けることで、導電バーとして導電バー挿入孔に差し込んで、回路遮断器と接続させることができる。
【図面の簡単な説明】
【００１５】
【図１】回路遮断器を示す側断面図と端子部の側面図である。
【図２】導体挿入前の回路遮断器の側断面図である。
【図３】導体を挿入した状態の回路遮断器の側断面図である。
【図４】図３におけるＡ部拡大図である。
【図５】図３におけるＢ部拡大図である。
【符号の説明】
【００１６】
１      回路遮断器
２      ケース
３      操作ハンドル
４      電源側端子
５      負荷側端子
６      速結端子
７      プラグイン式端子
８      電線挿入孔
９      導電バー挿入孔
１０    端子座
１１    ばね体
１１ａ  固定部
１１ｂ  抜け止め部
１１ｃ  座部
１２    電線
【図１】
2010027557.tif 000003
【図２】
2010027557.tif 000004
【図３】
2010027557.tif 000005
【図４】
2010027557.tif 000006
【図５】
2010027557.tif 000007